【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  表示装置を備える、消費者の消費者コンピュータに電子的に配信される構造化文書をカスタマイズする方法であって、
前記消費者コンピュータにおいて前記構造化文書を受信するステップと、
前記構造化文書を、それぞれ複数の選択可能なコンテンツ代替を有する複数の可変コンテンツセクションにセグメント化するステップと、
各可変コンテンツセクション毎に、前記消費者の消費者プロファイルに対して前記コンテンツ代替の１つを選択し、前記セクションを前記選択されたコンテンツ代替で増補するステップと、
前記増補した構造化文書を前記消費者に対して前記表示装置上に提示するステップと、
を含む、方法。
【請求項２】  前記消費者プロファイルは、前記消費者以外の誰からのアクセスからも保護される、請求項１記載の方法。
【請求項３】  前記消費者プロファイルは、前記消費者のコンピュータにローカル的に格納される、請求項１記載の方法。
【請求項４】  前記消費者プロファイルは、サーバに格納され、複数の異なる消費者についての複数の消費者プロファイルを含み、各消費者プロファイルは、当該消費者プロファイルに関連する個々の消費者だけによってアクセスされるように保護される、請求項１記載の方法。
【請求項５】  前記消費者プロファイルは、消費者の複数の特徴についての特徴値のベクトルである消費者モデルを含む、請求項１記載の方法。
【請求項６】  前記消費者プロファイルは、該消費者のトランザクションから導出される前記消費者の関心、嗜好、または行動のモデルを含む、請求項１記載の方法。
【請求項７】  前記消費者プロファイルは、前記消費者のトランザクションから導出される事実を含むデータベースを含む、請求項１記載の方法。
【請求項８】  前記消費者コンピュータにおいて構造化文書を処理して、前記消費者のトランザクション行動を識別するステップと、
該識別されたトランザクション行動に関して、前記消費者プロファイルを更新するステップと、
をさらに含む、請求項１記載の方法。
【請求項９】  前記消費者プロファイルを更新するステップは、
前記トランザクション行動における少なくとも１つの販売人、製品、またはコンテンツセグメントを識別するステップと、
該識別された販売人または製品に関して、前記消費者プロファイルを更新するステップと、
をさらに含む、請求項８記載の方法。
【請求項１０】  前記消費者プロファイルを更新するステップは、前記消費者コンピュータから遠隔にあるソースから、ネットワークを介して、販売人、製品、またはコンテンツセグメントについての情報を検索するステップをさらに含む、請求項９記載の方法。
【請求項１１】  前記検索される情報は、構造化文書または消費者プロファイルに関連するメタデータを含む、請求項１０記載の方法。
【請求項１２】  前記消費者プロファイルを更新するステップは、前記トランザクション行動に含まれるトランザクションの日付または時間の関数として、前記消費者プロファイルを更新するステップをさらに含む、請求項８記載の方法。
【請求項１３】  前記消費者プロファイルを更新するステップは、前記トランザクション行動に含まれるトランザクションの金額の関数として、前記消費者プロファイルを更新するステップをさらに含む、請求項８記載の方法。
【請求項１４】  前記構造化文書は、オンライントランザクションリポートである、請求項１記載の方法。
【請求項１５】  前記トランザクションリポートは、オンラインクレジットカードステートメント、オンライン銀行ステートメント、オンライン請求書、投資目録、医療レポート、レシート、ユニフォームリソースロケータのリストを含むファイル、納税申告用紙からなる群のうちの１つである、請求項１４記載の方法。
【請求項１６】  前記トランザクションリポートは、前記消費者に電子的に配信される金融ステートメントであり、該金融ステートメントは少なくとも１つはトランザクションの販売人の販売人識別子を含む、複数の金融トランザクションを含み、該金融トランザクションは、前記可変コンテンツセクションの１つを形成する、請求項１記載の方法。
【請求項１７】  前記コンテンツ代替は、前記消費者プロファイルへのクエリとして符号化され、該クエリはそれぞれ、前記コンテンツ代替を検索可能なソースの識別子と、前記消費者プロファイルに対して評価するための属性のセットとを含む、請求項１記載の方法。
【請求項１８】  前記トランザクションを増補するステップは、前記トランザクションのうちの選択したものの前記販売人識別子付近に、製品クーポンのグラフィック表現を表示するステップをさらに含む、請求項１記載の方法。
【請求項１９】  前記消費者コンピュータは、セットトップボックスである、請求項１記載の方法。
【請求項２０】  前記構造化文書は、テレビジョン信号、音響信号、およびプログラムガイドの何らかの組み合わせである、請求項１記載の方法。
【請求項２１】  前記コンテンツ代替は、複数の商業広告である、請求項１記載の方法。
【請求項２２】  前記可変コンテンツセクションの増補は、テレビジョンプログラムの広告スロットに商業広告を配置することから成る、請求項１記載の方法。
【請求項２３】  前記可変コンテンツセクションを増補するステップは、クーポンを、前記消費者に表示するために、前記セクションに挿入するステップを含む、請求項１記載の方法。
【請求項２４】  前記可変コンテンツセクションを増補するステップは、テキストアイテムをグラフィックイメージで置換するステップを含む、請求項１記載の方法。
【請求項２５】  前記可変コンテンツセクションを増補するステップは、前記可変コンテンツセクションのアイテムと、データの別のアイテムとの間にハイパーリンクを確立するステップを含む、請求項１記載の方法。
【請求項２６】  前記可変コンテンツセクションを増補するステップは、可変情報を、前記消費者に特に関連する情報で置換するステップを含む、請求項１記載の方法。
【請求項２７】  前記可変コンテンツセクションを選択されたコンテンツ代替で増補するステップは、前記消費者コンピュータから離れたコンピュータから、前記選択されたコンテンツ代替をハイパーメディアデータとして検索し、該検索されたハイパーメディアデータを前記構造化文書に挿入するステップを含む、請求項１記載の方法。
【請求項２８】  前記可変コンテンツセクションに、前記コンテンツ代替のうちの１つを選択するステップは、
前記コンテンツ代替それぞれの属性のセットを、前記消費者プロファイルにおいて定義される前記消費者の属性と比較するステップと、
前記消費者の属性に最も密接にマッチする属性を有するコンテンツ代替を１つ選択するステップと、
を含む、請求項１記載の方法。
【請求項２９】  それぞれコンテンツ指示子および選択規則を含む、コンテンツ代替のデータベースを維持するステップをさらに含み、
前記可変コンテンツセクションに、コンテンツ代替のうちの１つを選択するステップは、
前記可変コンテンツセクションについての前記コンテンツ代替それぞれの前記選択規則を、前記消費者プロファイルに適用して、各コンテンツ代替が前記消費者に適切である程度を決定するステップと、
最も適切なコンテンツ代替を選択するステップと、
を含む、請求項１記載の方法。
【請求項３０】  前記可変コンテンツセクションに、前記コンテンツ代替のうちの１つを選択するステップは、
前記コンテンツ代替それぞれの属性のセットを、前記消費者プロファイルにおいて定義される前記消費者の属性と比較するステップと、
前記消費者の属性に最も密接にマッチする属性を有する前記コンテンツ代替の１つを選択するステップと、
を含む、請求項１記載の方法。
【請求項３１】  前記構造化文書の複数の部分をそれぞれ、該部分内での可変コンテンツセクションの増補に向けた少なくとも１つの方針と関連付けるステップと、
前記構造化文書の各部分について、前記部分に関連付けられた少なくとも１つの方針に従って、前記部分における前記可変コンテンツセクションを増補するステップと、
をさらに含む、請求項１記載の方法。
【請求項３２】  前記構造化文書の少なくとも１部分は、該部分の所有者を有し、かつ前記部分内の可変コンテンツセクションについての前記コンテンツ代替の選択を制御するために、前記所有者によって定義される、該所有部分に関連付けられた少なくとも１つの方針がある、請求項１記載の方法。
【請求項３３】  前記構造化文書は所有者を有し、かつ該構造化文書に関連付けられ、該構造化文書内のすべての可変コンテンツセクションについての前記コンテンツ代替の選択を制御するために、前記所有者によって定義される方針がある、請求項１記載の方法。
【請求項３４】  前記消費者プロファイルを更新するステップは、前記消費者により記入される前記構造化文書の少なくとも１つのフォームフィールドを識別するステップと、
前記少なくとも１つのフォームフィールドに含まれるデータに関して、前記消費者プロファイルを自動的に更新するステップと、
をさらに含む、請求項８記載の方法。
【請求項３５】  前記消費者プロファイルを更新するステップは、
前記消費者がクリックした前記構造化文書のアイテムを識別するステップと、
クリックされた前記アイテムに関して、前記消費者プロファイルを自動的に更新するステップと、
をさらに含む、請求項８記載の方法。
【請求項３６】  各可変コンテンツセクション毎に、前記コンテンツ代替を前記消費者の消費者プロファイルに対して評価し、かつコンテンツ代替のサブセットを、第１のコンテンツ代替を含む順序に順序づけることで、前記セクションを増補するために、前記コンテンツ代替のサブセットを選択するステップと、
前記セクションを前記第１のコンテンツ代替で増補するステップと、
各可変コンテンツセクション毎に、前記第１のコンテンツ代替を有する前記増補された構造化文書を、前記表示装置上で前記消費者に提示するステップと、
をさらに含む、請求項１記載の方法。
【請求項３７】  可変コンテンツセクションについて選択されたコンテンツ代替を、それぞれの前記消費者プロファイルに対する関連性の関数によって順序づけるステップをさらに含む、請求項３６記載の方法。
【請求項３８】  前記可変コンテンツセクションの１つに対する前記消費者によるアクションに応答して、前記可変コンテンツセクションについての残りのコンテンツ代替のうちの少なくとも１つを提示するステップをさらに含む、請求項３６記載の方法。
【請求項３９】  前記可変コンテンツセクションの１つに対する前記消費者によるアクションに応答して、前記可変コンテンツセクションについての残りのコンテンツ代替のうちの少なくとも１つを、前記可変コンテンツセクションについての前記第１のコンテンツ代替と置換して提示するステップをさらに含む、請求項３６記載の方法。
【請求項４０】  前記消費者の消費者プロファイルに対して前記コンテンツ代替を評価するステップは、
コンテンツ代替に関連する属性のターゲットベクトルを、前記消費者プロファイルに関連する属性のベクトルと比較するステップをさらに含む、請求項３６記載の方法。
【請求項４１】  前記ターゲットベクトルの少なくとも１つの属性に対応する関連値を含む関連性ベクトルを使用して、前記ターゲットベクトルから少なくとも１つの属性を選択するステップと、
前記関連値が閾値を超える前記ターゲットベクトルの属性のみを比較するステップと、
をさらに含む、請求項４０記載の方法。
【請求項４２】  前記関連値は、前記ターゲットベクトルの属性の相対的な重要性を決定する、請求項４１記載の方法。
【請求項４３】  前記消費者の消費者プロファイルに対して前記コンテンツ代替を評価するステップは、
前記消費者のトランザクションから導出される事実に対して、ブーリアンクエリを評価するステップをさらに含む、請求項３６記載の方法。
【請求項４４】  前記消費者の消費者プロファイルに対して前記コンテンツ代替を評価するステップは、
前記消費者の属性を記述する属性ベクトルから導出される論理要約に対して、ブーリアンクエリを評価するステップをさらに含む、請求項３６記載の方法。
【請求項４５】  前記消費者プロファイルは消費者属性ベクトルを含み、該属性ベクトルは、
前記消費者の複数の基底レベルの属性を含む基底ベクトルであって、前記基底レベルの属性はそれぞれ値を有する、基底ベクトルと、
前記基底レベルベクトルの複数の基底レベルの属性に関連する少なくとも１つの総合属性を含み、前記関連する基底レベルの属性の値の関数として計算される値を有する、少なくとも１つの階層ベクトルと、
を含む、請求項３６記載の方法。
【請求項４６】  閲覧装置において、消費者に提示する情報をターゲット化する方法であって、
前記閲覧装置に、消費者プロファイルをローカル的に格納するステップであって、前記消費者プロファイルは、前記消費者の複数のトランザクションから導出され、かつ前記消費者の属性を記述する、ステップと、
複数のクエリを前記閲覧装置において受信するステップであって、各クエリは、情報アイテム検索のための識別子および情報アイテムを記述する属性のセットに関連する、ステップと、
前記クエリをそれぞれ、前記閲覧装置上で前記消費者プロファイルに対して評価して、前記消費者の属性に最も密接にマッチする属性を有する情報アイテムを選択するステップと、
前記情報アイテムに関連するクエリにおいて受信される識別子を用いて、選択された情報アイテムを検索するステップと、
前記検索された情報アイテムを前記閲覧装置において前記消費者に提示するステップと、
を含む、方法。
【請求項４７】  前記閲覧装置において複数のクエリを受信するステップは、前記クエリを、符号化されたＵＲＬとして含むウェブページを受信するステップを含む、請求項４６記載の方法。
【請求項４８】  前記閲覧装置において複数のクエリを受信するステップは、テレビジョン信号を介して前記クエリを受信するステップを含む、請求項４６記載の方法。
【請求項４９】  消費者に提示するコンテンツを選択する方法であって、
前記消費者の複数の属性を有する属性ベクトルを含む、前記消費者の消費者モデルを格納するステップと、
複数の選択可能なコンテンツ代替に関連する文書を受け取るステップであって、各選択可能なコンテンツ代替は、消費者の予期される属性を表すターゲットベクトルに関連する、ステップと、
前記消費者の前記属性ベクトルを、前記ターゲットベクトルの少なくとも１つと比較して、前記ターゲットベクトルと前記属性ベクトルとの間の距離測定値を決定するステップと、
該距離測定値の関数として、前記コンテンツ代替のうちの少なくとも１つを選択するステップと、
少なくとも前記選択されたコンテンツ代替を前記消費者に提示するステップと、
を含む、方法。
【請求項５０】  各ターゲットベクトルに関連して、複数の関連値を含む関連性ベクトルを受信するステップであって、各関連値は、前記ターゲットベクトルの少なくとも１つの属性に関連し、前記ターゲットベクトルの関連属性の関連性の測定値を示す、ステップと、
前記ターゲットベクトルを前記属性ベクトルと比較する前に、各属性に関連する前記関連値により、前記ターゲットベクトルの属性をスケーリングするステップと、
をさらに含む、請求項４９記載の方法。
【請求項５１】  前記複数の選択可能なコンテンツ代替の少なくとも１つに関連して、前記消費者の前記属性ベクトルの少なくとも１つの属性に関するクエリを受信するステップと、
該クエリを前記消費者の前記属性ベクトルに対して評価して、前記コンテンツ代替を前記消費者へ提示するよう選択しうるか否かを決定するステップと、
をさらに含む、請求項４９記載の方法。
【請求項５２】  前記クエリは、優先値を含み、前記距離測定値の関数として、前記コンテンツ代替の少なくとも１つを選択するステップは、
前記コンテンツ代替に関連するターゲットベクトルと、前記消費者の属性ベクトル間の距離測定値の関数として、各コンテンツ代替についてのマッチングスコア、および前記コンテンツ代替に関連するクエリの優先値を計算するステップと、
最も高いマッチングスコアを有する前記コンテンツ代替を選択するステップと、
をさらに含む、請求項５１記載の方法。
【請求項５３】  消費者属性のモデルを更新する方法であって、
複数のトランザクションを検索するステップと、
消費者の少なくとも１つの属性に対する、各トランザクションの関連性の測定値を決定するステップと、
前記複数のトランザクションそれぞれの関連性の関数として、前記少なくとも１つの属性を更新するステップと、
を含む、方法。
【請求項５４】  前記各トランザクションの関連性の測定値を決定するステップは、前記属性の値が与えられる場合に発生する各トランザクションの条件付き確率を決定するステップを含む、請求項５３記載の方法。
【請求項５５】  前記少なくとも１つの属性を更新するステップは、各トランザクションの前記条件付き確率を用いるベイズの定理を用いて行われる、請求項５４記載の方法。
【請求項５６】  前記少なくとも１つの属性を更新するステップは、
各トランザクションを、時間期間の順序付きシーケンスにおける時間期間に割り当てるステップと、
トランザクションが割り当てられないいずれの時間期間についても、前記時間期間内でトランザクションが発生しないことについて、属性の関連性測定値を確立するステップと、
トランザクションが発生する時間期間におけるトランザクションの関連性測定値と、トランザクションが発生しない時間期間での属性について確立された関連性測定値とを用い、前記時間期間の順序付きシーケンスに従って、前記少なくとも１つの属性を更新するステップと、
をさらに含む、請求項５３記載の方法。
【請求項５７】  各トランザクションの関連性測定値を決定するステップは、前記属性の値が与えられている場合に、各トランザクションが発生する条件付き確率を決定するステップを含む、請求項５６記載の方法。
【請求項５８】  前記少なくとも１つの属性を更新するステップは、各トランザクションの条件付き確率を用いるベイズの定理を用いて行われる、請求項５６記載の方法。
【請求項５９】  前記トランザクションの関連性測定値は、前記トランザクションに関連する金額の関数である、請求項５３記載の方法。
【請求項６０】  前記トランザクションの関連性測定値は、前記トランザクションに対する少なくとも１つの相手の関数である、請求項５３記載の方法。
【請求項６１】  カスタマイズされたコンテンツをビュワーに供給するシステムであって、
コンテンツを表示するように構成される表示装置と、
前記コンテンツ表示装置でのコンテンツ表示を制御するように構成される制御装置であって、消費者プロファイルを格納するように構成された消費者プロファイルモジュールと、前記コンテンツを受け取って、当該コンテンツを固定コンテンツセクションと各々複数のコンテンツ代替を有する可変コンテンツセクションとにセグメント化し、前記消費者プロファイルに基づいて前記コンテンツ代替を選択し、選択されたコンテンツ代替を関連する可変コンテンツセクションに挿入するように構成された装飾（illumination）モジュールとからなる前記制御装置と、から成るシステム。
【請求項６２】  前記コンテンツがビデオコンテンツであり、前記制御装置が前記コンテンツ表示装置でビデオコンテンツを表示するように構成されたセットトップボックスである、請求項６１記載のシステム。
【請求項６３】  前記コンテンツセクションが、実際のコンテンツの説明と、当該実際のコンテンツへのリンクとから成る、請求項６１記載のシステム。
【請求項６４】  前記ビデオコンテンツがテレビジョンプログラムである、請求項６２記載のシステム。
【請求項６５】  前記複数のコンテンツ代替が広告である、請求項６４記載のシステム。
【請求項６６】  前記複数のコンテンツ代替がテレビジョンプログラムの代替である、請求項６４記載のシステム。
【請求項６７】  前記ビデオコンテンツが可変コンテンツセクションのみから成る、請求項６２記載のシステム。
【請求項６８】  前記ビデオコンテンツがプログラムメニューを含む、請求項６２記載のシステム。
【請求項６９】  前記消費者プロファイルが、消費者の複数の特徴に関する特徴値のベクトルである消費者モデルを含む、請求項６１記載のシステム。
【請求項７０】  前記消費者プロファイルが、該消費者のトランザクションから導出される前記消費者の視聴関心、嗜好、または行動のモデルを含む、請求項６９記載のシステム。
【請求項７１】  前記トランザクションが、前記表示装置上に表示されたプログラムガイドとの対話を含む、請求項７０記載のシステム。
【請求項７２】  前記ビデオコンテンツがテレビジョンプログラムであり、前記トランザクションが異なるテレビジョンコンテンツの選択を含む、請求項６２記載のシステム。
【請求項７３】  前記消費者プロファイルが消費者のトランザクションから得られた事実を含む、請求項６２記載のシステム。
【請求項７４】  前記消費者プロファイルモジュールが更に、消費者のトランザクション行動に基づいて消費者プロファイルを更新するように構成されている、請求項６１記載のシステム。
【請求項７５】  前記消費者プロファイルモジュールが更に、前記トランザクション行動に関する少なくとも１つの販売人、製品、またはコンテンツセグメントを識別し、該識別された販売人、製品、またはコンテンツセグメントに基づいて前記消費者プロファイルを更新するように構成されている、請求項６２記載のシステム。
【請求項７６】  前記コンテンツ代替の１つを選択することが、前記消費者モデルに基づいて前記コンテンツ代替の１つを選択することから成る、請求項７０記載のシステム。
【請求項７７】  前記装飾装置が更に、前記各コンテンツ代替に関連する１組の属性と前記消費者プロファイルに含まれた消費者の属性とを比較し、当該消費者の属性に最も合った属性を有するコンテンツ代替を選択するように構成される、請求項６１記載のシステム。
【請求項７８】  前記各コンテンツ代替がコンテンツ記述子およびコンテンツ選択規則を含み、前記装飾装置が更に、各コンテンツ代替が当該消費者に適切である度合いを決定するために前記消費者プロファイルに前記関連する各選択規則を適用して前記コンテンツ代替の１つを選択して、最も適切な代替を選択するように構成される、請求項６１記載のシステム。